(57)【特許請求の範囲】
【請求項１】
上下方向に貫通する配線取出口と、
上下方向の両端部に開口部を有する略筒状のカバー部材とを備え、
前記カバー部材の一方の開口部にはその周縁部に沿って貼付部が設けられ、
前記貼付部は、前記一方の開口部を軸として前記カバー部材の外側に折り曲げられ、前記配線取出口の周縁部に沿うように前記配線取出口の内側面に取り付けられ、
前記カバー部材の他方の開口部が閉じることができるように形成された
ことを特徴とするフロアパネル。
【請求項２】
前記カバー部材は、不燃性又は難燃性を有する布状の素材により形成された
ことを特徴とする請求項１に記載のフロアパネル。
【請求項３】
前記配線取出口を閉口する場合には、前記フロアパネルの上面側に前記配線取出口を閉口するように載置され、前記配線取出口を開口する場合には、前記配線取出口から取り外される板状の蓋部材を備えた
ことを特徴とする請求項１又は２に記載のフロアパネル。
【請求項４】
前記配線取出口を閉口する場合には、ネジ締結により前記配線取出口を閉口するように固定され、前記配線取出口を開口する場合には、前記配線取出口から取り外される板状の蓋部材を備えた
ことを特徴とする請求項１又は２に記載のフロアパネル。
【請求項５】
前記配線取出口を閉口する場合には、複数のネジ部材を用いたネジ締結により前記配線取出口を閉口するように固定され、前記配線取出口を開口する場合には、前記複数のネジ部材の内、１つのネジ部材だけは取り外さず、他の全てのネジ部材を取り外し、前記１つのネジ部材を軸として、前記配線取出口が開口するように回転される板状の蓋部材を備えた
ことを特徴とする請求項１又は２に記載のフロアパネル。
【請求項６】
前記カバー部材は、前記パネル本体部に着脱可能に取付けられた
ことを特徴とする請求項１から５のいずれかに記載のフロアパネル。
【発明の詳細な説明】
【技術分野】
【０００１】
本発明は、サーバー等の発熱するＩＴ機器を収納するデータセンター等の部屋の床部に敷設されるフリーアクセスフロア用のフロアパネルに関するものである。
【背景技術】
【０００２】
近年、高度情報化社会の到来に伴ってＩＴ機器で多量のデータが取り扱われるようになり、多数のＩＴ機器をデータセンター、サーバールーム等に設置して一括管理することが多くなっている。
【０００３】
例えば、データセンターには、サーバーやネットワーク機器などのＩＴ機器や、ＩＴ機器が積み重ねられたＩＴ機器搭載ラックが多数設置されていた。
【０００４】
ＩＴ機器は、電力を消費する過程で発熱するため、信頼性や動作保障のためにはデータセンター内の室温を一定温度以下に維持する必要があった。
【０００５】
このため、ＩＴ機器が設置されたデータセンター内にはパッケージ空調機が設置され、パッケージ空調機によりデータセンター内の室温を一定温度以下に保持することにより、ＩＴ機器の故障や誤動作を防止するようにされていた（例えば、特許文献１参照）。
【０００６】
図１３から図１５は、従来技術に係るフリーアクセスフロア用のフロアパネル１０を説明するために示す図である。
【０００７】
図１３に示すように、データセンター１内には、複数のサーバー２を複数の棚の上に搭載した複数のサーバーラック３が、複数の列に並んで設置され、二重床を形成するフリーアクセスフロア４上に配置されていた。サーバーラック３は、前面（吸気面）から冷風を吸込み、背面（排気面）から温風を排気するように構成されていた。
【０００８】
また、複数のサーバーラック３は、隣接する列の吸気面と吸気面、排気面と排気面が互いに対向するようにそれぞれ配置され、吸気面に挟まれた通路（コールドアイル１ａ）には、床下空間から冷風が供給され、排気面に挟まれた通路（ホットアイル１ｂ）には、サーバーラック３の排気面から温度が上がった温風が排出されるようになっていた。
【０００９】
コールドアイル１ａの床面には、空気を通すための複数の通気孔が形成された孔開きパネル９（グリル）が敷設されていた。また、ホットアイル１ｂ、サーバーラック３、及びパッケージ空調機５の下の床面には、床下空間から配線ケーブル（電源ケーブル、通信ケーブル）を取出すための配線取出口１０ａ（図１４参照）が形成され、空気を通すための通気孔が形成されていないフロアパネル１０が敷設されていた。
【００１０】
そして、パッケージ空調機５により冷却された空気（冷風）は、床下空間、及び孔開きパネル９の通気孔を通過して、コールドアイル１ａに吹き出され、さらにサーバーラック３の前面から吸い込まれて、サーバー２が冷却されていた。
【００１１】
また、サーバー２を冷却した冷風は、サーバーラック３の背面から温風となってホットアイル１ｂに排出されていた。そして、その温風はホットアイル１ｂの空間において上昇し、データセンター１の天井空間を通って、パッケージ空調機５に戻されていた。
【００１２】
このような、データセンター１の室内空気の循環により、サーバーラック３内の棚の上に搭載されたサーバー２の冷却が行われていた。
【００１３】
また、コールドアイル１ａに供給された冷たい空気と、ホットアイル１ｂに排気された温かい空気が混ざり合うことがないように、コールドアイル１ａの空間はキャッピング６（天井板）により覆われていた。
【００１４】
このように、キャッピング６により、コールドアイル１ａの空間と、ホットアイル１ｂや上方の空間との間を区画することにより、データセンター１内の空調効率が悪化することを防止していた。
【００１５】
また、上記のように、フロアパネル１０には、床下空間から配線ケーブルを取出すための配線取出口１０ａが形成されていた（図１４参照）。そのため、配線取出口１０ａを通過する配線ケーブル１３の周りから空気が漏れて、冷たい空気と温かい空気が混ざり合い、空調効率が悪化するのを防止するために、配線取出口１０ａをカバー部材１２で覆うようになっていた（例えば、特許文献２の図２等を参照）。
【００１６】
カバー部材１２は、配線取出口１０ａを覆うように、フロアパネル１０の上面１０ｂ側に固定され、その中央部にはブラシ状のブラシ部１２ａが形成されていた。そして、ブラシ部１２ａのブラシを掻き分けることにより、配線ケーブル１３を床下空間から床上空間に通すことができるようになっていた（図１５参照）。
【先行技術文献】
【特許文献】
【００１７】
【特許文献１】特開２００９−２６４５９８号公報
【特許文献２】特表２０１４−５０４１３６号公報
【発明の概要】
【発明が解決しようとする課題】
【００１８】
しかしながら、従来技術のフロアパネル１０においては、配線取出口１０ａを覆うカバー部材１２のブラシ部１２ａが、毛などの細い繊維をブラシ状に並べて形成されていたため気密性が悪く、データセンター１内の空調効率が悪化するという問題があった。
【００１９】
すなわち、カバー部材１２のブラシ部１２ａを構成する細い繊維間を通って空気が漏れることにより、配線取出口１０ａを通って、床上空間から床下空間に温風が漏れたり、床下空間から床上空間に冷風が漏れたりすることを防止できていなかった。
【００２０】
そこで本発明は、上記問題点に鑑みて、空調を必要とする部屋内の空調効率が悪化することを防止することができるフロアパネルを提供することを課題とするものである。
【課題を解決するための手段】
【００２１】
上記課題を解決するために、本発明によるフロアパネルは、
上下方向に貫通する配線取出口と、
上下方向の両端部に開口部を有する略筒状のカバー部材とを備え、
前記カバー部材の一方の開口部にはその周縁部に沿って貼付部が設けられ、
前記貼付部は、前記一方の開口部を軸として前記カバー部材の外側に折り曲げられ、前記配線取出口の周縁部に沿うように前記配線取出口の内側面に取り付けられ、
前記カバー部材の他方の開口部が閉じることができるように形成されたことを特徴とするものである。
【００２２】
また、本発明によるフロアパネルは、
前記カバー部材は、不燃性又は難燃性を有する布状の素材により形成されたことを特徴とするものである。
【００２３】
また、本発明によるフロアパネルは、
前記配線取出口を閉口する場合には、前記フロアパネルの上面側に前記配線取出口を閉口するように載置され、前記配線取出口を開口する場合には、前記配線取出口から取り外される板状の蓋部材を備えたことを特徴とするものである。
【００２４】
また、本発明によるフロアパネルは、
前記配線取出口を閉口する場合には、ネジ締結により前記配線取出口を閉口するように固定され、前記配線取出口を開口する場合には、前記配線取出口から取り外される板状の蓋部材を備えたことを特徴とするものである。
【００２５】
また、本発明によるフロアパネルは、
前記配線取出口を閉口する場合には、複数のネジ部材を用いたネジ締結により前記配線取出口を閉口するように固定され、前記配線取出口を開口する場合には、前記複数のネジ部材の内、１つのネジ部材だけは取り外さず、他の全てのネジ部材を取り外し、前記１つのネジ部材を軸として、前記配線取出口が開口するように回転される板状の蓋部材を備えたことを特徴とするものである。
【００２６】
また、本発明によるフロアパネルは、
前記カバー部材は、前記パネル本体部に着脱可能に取付けられたことを特徴とするものである。
【発明の効果】
【００２７】
このような本発明のフロアパネルによれば、
上下方向に貫通する配線取出口と、
上下方向の両端部に開口部を有する略筒状のカバー部材とを備え、
前記カバー部材の一方の開口部にはその周縁部に沿って貼付部が設けられ、
前記貼付部は、前記一方の開口部を軸として前記カバー部材の外側に折り曲げられ、前記配線取出口の周縁部に沿うように前記配線取出口の内側面に取り付けられ、
前記カバー部材の他方の開口部が閉じることができるように形成されたことにより、
空調を必要とする部屋内の空調効率が悪化することを防止することができる。
【図面の簡単な説明】
【００２８】
【図１】本発明の第１の実施の形態に係るフロアパネル３０の概略斜視図である。
【図２】図１に示すフロアパネル３０の上面図である。
【図３】図１に示すフロアパネル３０の底面図である。
【図４】図１に示すフロアパネル３０の一部を省略して示す側面図である。
【図５】図３に示すフロアパネル３０の一部を省略して示すＡ−Ａ線矢視断面図である。
【図６】図３に示すフロアパネル３０のＡ−Ａ線矢視断面図における、カバー部材３８の貼付部３８ｅと、リブ３１ｂの側面の接着部分の周辺を拡大して示す図である。
【図７】図１に示すカバー部材３８が、フロアパネル３０のリブ３１ｂに固定されていない場合における、カバー部材３８の斜視図である。
【図８】図１に示すフロアパネル３０の配線取出口３０ｂを、蓋部材３７により閉口した場合の概略斜視図である。
【図９】図８に示すフロアパネル３０の状態から、蓋部材３７を取り外し、カバー部材３８を床上空間に引っ張り出した場合の概略斜視図である。
【図１０】図９に示すフロアパネル３０の状態から、配線取出口３０ｂに配線ケーブル３９を通して、カバー部材３８を床下方向に押し込んだ場合の概略斜視図である。
【図１１】本発明の第２の実施の形態に係るフロアパネル５０の、配線取出口３０ｂに配線ケーブル３９を通して、カバー部材５８を床下方向に押し込んだ場合の概略斜視図である。
【図１２】図１１に示すカバー部材５８がフロアパネル５０のリブ３１ｂに固定されていない場合における、カバー部材５８の斜視図である。
【図１３】従来技術に係るフロアパネル１０が使用されるデータセンター１の概略図である。
【図１４】図１３に示すフロアパネル１０の配線取出口１０ａをカバー部材１２により覆う直前の斜視図である。
【図１５】図１４に示すフロアパネル１０の配線取出口１０ａをカバー部材１２により覆い、配線取出口１０ａに配線ケーブル１３を通した場合の斜視図である。
【発明を実施するための形態】
【００２９】
以下、本発明に係るフロアパネルを実施するための形態について、図面に基づいて具体的に説明する。
図１から図１０は、本発明の第１の実施の形態に係るフロアパネル３０について説明するために参照する図である。
【００３０】
本実施の形態に係るフロアパネル３０は、図１から図６に示すように、略箱状のパネル本体部３１と、その上面に貼り付けられたタイル３２を備えて構成されている。
【００３１】
パネル本体部３１は、その材質にアルミニウム合金を用いたダイカスト製品であって、その略正方形の上面を形成する平板部３１ａと、この平板部３１ａの裏面側に一体的に形成された複数のリブ３１ｂを備えて構成されている（図３、図５参照）。
【００３２】
パネル本体部３１の複数のリブ３１ｂのそれぞれは、平板部３１ａの裏面側から床下方向（図５中下側方向）に突出すると共に、平板部３１ａの水平面に沿って縦横両方向（図３中上下方向及び左右方向）に長さが伸びるように格子状に形成されている。パネル本体部３１は、このような複数のリブ３１ｂが形成されていることにより、その強度が向上するようになっている。
【００３３】
また、パネル本体部３１の平板部３１ａの上面には、塩化ビニル系のＰタイル等のタイル３２が貼り付けられ、この貼り付けられた状態で、フロアパネル３０の各辺を形成するそれぞれの外周部分のタイル３２とパネル本体部３１の平板部３１ａが、共に機械切削加工されている。このため、フロアパネル３０の各辺の外周部分は、その寸法精度が高く（例えば、±０、１ｍｍ以下）形成されている。
【００３４】
このように、フロアパネル３０の各辺の外周部分は、その寸法精度が高く形成されているため、互いに隣り合うフロアパネル３０の間に殆ど隙間（目地）がないように、複数のフロアパネル３０を敷設することができるようになっている。
【００３５】
したがって、互いに隣り合うフロアパネル３０の間の隙間（目地）を通って、床上空間から床下空間に温風が漏れたり、床下空間から床上空間に冷風が漏れたりすることがほとんどないようになっている。
【００３６】
また、サーバー２等のＩＴ機器（図１３参照）に接続するための配線ケーブル（電源ケーブル、通信ケーブル）を床下空間から取り出すために、フロアパネル３０には、パネル本体部３１及びタイル３２のそれぞれを厚さ方向に貫通すると共に、その水平開口形状が略正方形の配線取出口３０ｂが形成されている（図１，図２参照）。
【００３７】
また、図１及び図２に示すように、配線取出口３０ｂの周縁部に沿うように、タイル３２の上面３２ａから、後述する板状の蓋部材３７の厚さ寸法と略同じ高さ寸法だけ床下方向（図５中、下側方向）に凹んだ段差面３０ｃが形成されている。また、段差面３０ｃの四隅には、それぞれメネジ孔３０ｄが形成されている（図２参照）。
【００３８】
また、図５に示すように、パネル本体部３１の複数のリブ３１ｂの高さ寸法（同図中、上下方向の寸法）、及びその厚さ寸法は全て略同じ寸法ではなく、それらの高さ寸法及び厚さ寸法が大きいリブ３１ｂと小さいリブ３１ｂが形成されている。
【００３９】
そして、図３に示すように、配線取出口３０ｂは、パネル本体部３１の複数のリブ３１ｂの中で、その高さ寸法（図５中、上下方向の寸法）、及びその厚さ寸法の最も大きいリブ３１ｂの側面に沿うように貫通している。
【００４０】
また、その高さ寸法及び厚さ寸法の最も大きいリブ３１ｂにおける、配線取出口３０ｂの各辺に沿ったその側面には、カバー部材３８が着脱可能に取り付けられている（図６参照）。
【００４１】
カバー部材３８は、配線取出口３０ｂに配線ケーブル３９を通す場合（図１０参照）に、配線取出口３０ｂを通って、床上空間から床下空間に温風が漏れたり、床下空間から床上空間に冷風が漏れたりしないようにするために設けられている。
【００４２】
リブ３１ｂに取り付けられる前のカバー部材３８は、その上端をつまんで持ち上げると、図７に示すように、略角筒状に形成されている。このカバー部材３８の上端部には、同図中上側に開口する開口部３８ａが形成されると共に、その開口部３８ａの周縁に沿うように、中に紐３８ｂを通すための紐通し部３８ｉが形成されている。
【００４３】
また、紐３８ｂの両端部が紐通し部３８ｉの外側に突出するように、紐３８ｂが紐通し部３８ｉに通され、その紐３８ｂの両端部は、紐留め部３８ｃ（コードストッパー）により結ばれている。そして、巾着袋の口を締めるように、例えば、紐３８ｂの両端部を引っ張ることにより、カバー部材３８の開口部３８ａが閉じるように構成されている。
【００４４】
また、前記背景技術の説明で述べたデータセンター１内のサーバー２（図１３参照）等のＩＴ機器は、前述のように電力を消費する過程で発熱するので、火災を防止するために、カバー部材３８は不燃性又は難燃性を有する布により形成されている。
【００４５】
図７に示すように、カバー部材３８の開口部３８ａと反対側端部の開口部３８ｄ側（図中下端部側）には、長方形状の面を有する貼付部３８ｅが、開口部３８ｄの周縁部３８ｊに沿って形成されている。また、カバー部材３８の貼付部３８ｅの図中下側の面には、その略全面にマジックテープ３８ｆ（図６参照）が貼り付けられている。
【００４６】
また、図６に示すように、カバー部材３８が取り付けられる、前記高さ寸法及び厚さ寸法の最も大きいリブ３１ｂにおける、配線取出口３０ｂの各辺に沿ったその側面の同図中上側にも、マジックテープ３１ｄが貼り付けられている。
【００４７】
そして、カバー部材３８の貼付部３８ｅにおける、マジックテープ３８ｆが貼り付けられている面（図７中下側の面）と、図６中のリブ３１ｂのマジックテープ３１ｄが貼り付けられた側面とが対向するように、貼付部３８ｅが開口部３８ｄの周縁部３８ｊを軸として折り曲げられる。そして、リブ３１ｂの側面に貼り付けられたマジックテープ３１ｄと、貼付部３８ｅに貼り付けられたマジックテープ３８ｆとが互いに接着するようになっている。
【００４８】
このように、カバー部材３８は、マジックテープ３１ｄ，３８ｆを用いることにより、開口部３８ｄの周縁部３８ｊがフロアパネル３０の配線取出口３０ｂの周縁部に沿うように、パネル本体部３１のリブ３１ｂの側面に着脱可能に取り付けられている。
【００４９】
フロアパネル３０は、サーバー２等のＩＴ機器（図１３参照）に接続するための配線ケーブル３９（図１０参照）を配線取出口３０ｂに通していない場合は、図８に示すように、蓋部材３７により配線取出口３０ｂを閉口している。
【００５０】
図９に示すように、平板状の蓋部材３７の四隅には、その厚さ方向に貫通する貫通孔３７ａがそれぞれ形成されている。また、蓋部材３７は、その上面がタイル３２の上面３２ａと同一平面を形成（図８参照）すると共に、蓋部材３７の下面の外周部分が、フロアパネル３０の段差面３０ｃ（図１参照）の上面に接触するように、段差面３０ｃ上に載置されている。
【００５１】
そして、蓋部材３７の四隅に形成された貫通孔３７ａに、それぞれネジ部材３６を挿通して、ネジ部材３６が段差面３０ｃの四隅にそれぞれ形成されたメネジ孔３０ｄにネジ締結されることにより、蓋部材３７は配線取出口３０ｂを閉口するようにフロアパネル３０に固定されている。
【００５２】
このように、蓋部材３７が配線取出口３０ｂを閉口することにより、例えば、データセンター１内にサーバーラック３等（図１３参照）を搬入する場合に、配線取出口３０ｂに作業者の足が入り込んで作業に支障を来たすのを防止することができる。
【００５３】
また、配線ケーブル３９を配線取出口３０ｂに通していない場合は、図８に示すように、蓋部材３７により配線取出口３０ｂを閉口することにより、配線取出口３０ｂを通って、床上空間から床下空間に温風が漏れたり、床下空間から床上空間に冷風が漏れたりしないようにすることができる。
【００５４】
ここで、サーバー２等のＩＴ機器（図１３参照）に接続するための配線ケーブル３９（図１０参照）を、フロアパネル３０の配線取出口３０ｂに通す場合の手順の一例を以下に説明する。
【００５５】
まず、図８に示すように配線取出口３０ｂが蓋部材３７により閉口された状態から、図９に示すように、蓋部材３７をフロアパネル３０から取り外した後、パネル本体部３１のリブ３１ｂの側面に取付けられたカバー部材３８を、床下空間から配線取出口３０ｂを通して床上空間に引っ張り出す。
【００５６】
その後に、配線ケーブル３９を、カバー部材３８及び配線取出口３０ｂを通って床下空間から床上空間に取り出し、カバー部材３８の開口部３８ａを、巾着袋の口を閉じるように、紐３８ｂの両端部を紐留め部３８ｃと共に引っ張って閉じる。
【００５７】
そして、図９に示すように床上空間に引っ張り出されて、開口部３８ａが閉じられたカバー部材３８を、図１０に示すように、配線取出口３０ｂに通して床下方向（図中下側方向）に押し戻すようになっている。
【００５８】
このようなカバー部材３８は、気密性の高い布により形成されていると共に、配線ケーブル３９を通した後にその開口部３８ａを、巾着袋の口を閉じるように、紐３８ｂにより締め付けるようになっているため、配線ケーブル３９の周りから空気が漏れないようにして開口部３８ａ（図７参照）を閉じることができる。
【００５９】
すなわち、フロアパネル３０の配線取出口３０ｂを通って、床上空間から床下空間に温風が漏れたり、床下空間から床上空間に冷風が漏れたりすることがないようにすることができる。
【００６０】
したがって、フロアパネル３０の配線取出口３０ｂを通って、冷たい空気と温かい空気が混ざることにより、データセンター１内の空調効率が悪化することを防止することができる。
【００６１】
図１１及び図１２は、本発明の第２の実施の形態に係るフロアパネル５０について説明するために参照する図である。
【００６２】
本実施の形態に係るフロアパネル５０は、図１１に示すように、配線取出口３０ｂを閉口する蓋部材５７の四隅の内の、互いに対角線上に位置する２箇所にのみ、その厚さ方向に貫通する貫通孔５７ａが形成されている点において、前記第１の実施の形態に係るフロアパネル３０と異なるものである。
【００６３】
すなわち、前記第１の実施の形態に係るフロアパネル３０には、図９に示すように、蓋部材３７の四隅にそれぞれ貫通孔３７ａが形成されており、４つのネジ部材３６を貫通孔３７ａに挿通して、ネジ部材３６が段差面３０ｃ（図２参照）の四隅にそれぞれ形成されたメネジ孔３０ｄにネジ締結していた。
【００６４】
一方、フロアパネル５０には、前述のように、蓋部材５７の四隅の内の、互いに対角線上に位置する２箇所にのみ貫通孔５７ａが形成されており、２つのネジ部材３６を貫通孔５７ａに挿通して、ネジ部材３６が段差面３０ｃ（図２参照）の隅部にそれぞれ形成された２つのメネジ孔３０ｄにネジ締結されている。
【００６５】
このように、配線ケーブル３９を配線取出口３０ｂに通していない場合には、２つのネジ部材３６により蓋部材５７をフロアパネル５０に固定して、配線取出口３０ｂを閉口するようになっている。
【００６６】
そして、配線取出口３０ｂが蓋部材５７により閉口された状態から、配線ケーブル３９を配線取出口３０ｂに通すために、配線取出口３０ｂを開口させる場合には、図１１に示すように、２つのネジ部材３６の内の一方のネジ部材３６のみを外して、他方のネジ部材３６は外さずに、それを軸として蓋部材５７を略１８０度回転させる。
【００６７】
このように、配線取出口３０ｂを開口させる場合に、フロアパネル５０から蓋部材５７を完全に取り外した状態にしないで、１つのネジ部材３６によりフロアパネル５０と蓋部材５７が連結された状態にすることにより、蓋部材５７が紛失することを防止することができる。
【００６８】
また、本実施の形態に係るフロアパネル５０は、図１２に示すように、カバー部材５８が、巻きスカート状の形状から角筒状の形状に簡単に形成できるように構成されている点において、前記第１の実施の形態に係るフロアパネル３０と異なるものである。
【００６９】
すなわち、前記第１の実施の形態に係るフロアパネル３０においては、カバー部材３８は、図７に示すように、外周方向（紐通し部３８ｉの長さ方向と平行な方向）の端部同士を縫い付けることにより、外周方向が無端状の筒状に形成されていた。このため、図１２に示すカバー部材５８のように、巻きスカート状の形状から筒状の形状に簡単に形成することができるように構成されていなかった。
【００７０】
一方、カバー部材５８の外周方向の端部５８ｇ，５８ｈ（図１２参照）の領域部分には、それぞれマジックテープ５８ｋ，５８ｌが貼り付けられており、マジックテープ５８ｋ，５８ｌ同士を互いに接着させることにより、端部５８ｇと端部５８ｈが互いに連結されるようになっている。
【００７１】
カバー部材５８の外周方向の長さ寸法は、その端部５８ｇと端部５８ｈのそれぞれの領域部分を互いに重ね合わせ、それぞれの領域部分に貼り付けられたマジックテープ５８ｋ，５８ｌ同士を互いに接着させるために、カバー部材３８の外周方向の長さ寸法よりも少し長く形成されている。
【００７２】
すなわち、カバー部材５８をカバー部材３８と同じ筒状の形状（図７参照）になるように外周方向に巻いた場合に、端部５８の領域部分が、カバー部材５８の外周方向において余り、その余った部分（端部５８の領域部分）を、端部５８ｈの領域部分と互いに重ね合わすことができるようになっている。
【００７３】
また、マジックテープ５８ｋは、カバー部材５８の端部５８ｇの領域部分における、内周側（カバー部材５８をカバー部材３８と同じ筒状の形状にした場合の内周側）に貼り付けられている。また、マジックテープ５８ｌは、カバー部材５８の端部５８ｈの領域部分における、外周側（カバー部材５８をカバー部材３８と同じ筒状の形状にした場合の外周側）に貼り付けられている。
【００７４】
そして、端部５８ｇの領域部分の内周側と、端部５８ｈの領域部分の外周側が接触するように、カバー部材５８を巻いて筒状の形状にした場合に、マジックテープ５８ｋ，５８ｌ同士が互いに接着し、端部５８ｇと端部５８ｈが互いに連結されるようになっている。
【００７５】
このように、マジックテープ５８ｋ，５８ｌを用いて端部５８ｇと端部５８ｈを連結することにより、図１２に示すように、カバー部材５８を、巻きスカート状の形状から筒状の形状（図７参照）に簡単に形成することができる。
【００７６】
このため、フロアパネル５０の配線取出口３０ｂに配線ケーブル３９を通した後でも、カバー部材５８の貼付部５８ｅ（図１２参照）をフロアパネル５０のパネル本体部３１のリブ３１ｂの側面に簡単に取り付けることができる（図６参照）。
【００７７】
その他の構成は、前記第１の実施の形態に係るフロアパネル３０と同様である。
【００７８】
このような本実施の形態に係るフロアパネル５０によっても、前記第１の実施の形態に係るフロアパネル３０と同様の効果を得ることができる。
【００７９】
また、本実施の形態に係るフロアパネル５０は、上記のように、配線ケーブル３９を通すために配線取出口３０ｂの蓋部材５７を回転させて開口させた後で、その蓋部材５７が紛失することを防止することができる。
【００８０】
また、本実施の形態に係るフロアパネル５０は、上記のように、配線取出口３０ｂに配線ケーブル３９を通した後でも、カバー部材５８の貼付部５８ｅをフロアパネル５０のパネル本体部３１のリブ３１ｂの側面に簡単に取り付けることができる。
【００８１】
なお、本発明は、前記第１，第２の実施の形態にのみ限定されるものではなく、本発明の目的を達成することができる範囲内であれば、フロアパネルの種々の変更が可能である。
【００８２】
また、前記第１の実施の形態に係るフロアパネル３０は、図２及び図３に示すように、配線取出口３０ｂの水平開口形状が略正方形に形成されていたが、このような形状に限定される必要はなく、例えば、配線取出口３０ｂの水平開口形状が長方形や円形等の、他のどのような形状に形成されていてもよい。
【００８３】
また、前記第１、第２の実施の形態に係るフロアパネル３０，５０において、カバー部材３８，５８の貼付部３８ｅ，５８ｅと、パネル本体部３１のリブ３１ｂの側面はマジックテープ３８ｆ，５８ｆと、マジックテープ３１ｄにより互いに着脱可能に接着されていたが、例えば、両面テープ等の他の部材や方法により着脱可能に接着されていてもよい。
【００８４】
また、前記第１、第２の実施の形態に係るフロアパネル３０，５０において、カバー部材３８，５８は、火災防止のために、不燃性又は難燃性を有する布により形成されていたが、気密性の高い素材であれば、布は糸を織って作る布の他、いわゆる不織布を用いてもよく、又、どのような素材を用いて形成されていてもよい。
【００８５】
また、前記第１，第２の実施の形態に係るフロアパネル３０，５０のパネル本体部３１には、平板部３１ａの裏面側から床下方向に突出する複数のリブ３１ｂが補強用に形成されていたが、このような構成に限定される必要はなく、パネル本体部３１に補強用のリブ３１ｂが形成されていない構成のものであってもよい。
【００８６】
パネル本体部３１にリブ３１ｂが形成されていないフロアパネルの場合は、例えば、パネル本体部３１の平板部３１ａの裏面にマジックテープが貼り付けられて、平板部３１ａの裏面に、カバー部材３８，５８が着脱自在に取り付けられるように構成されていてもよい。
【００８７】
また、前記第１の実施の形態に係るフロアパネル３０において、図１０に示すように、カバー部材３８の開口部３８ａを紐３８ｂの両端部を引っ張ることにより閉じた後に、カバー部材３８を配線取出口３０ｂに通して床下方向に押し込んでいたが、カバー部材３８がＩＴ機器の搬入作業等の障害にならないのであれば、カバー部材３８を床下方向に押し込まないで、床上に出したままであってもよい。
【００８８】
また、前記第１，第２の実施の形態に係るフロアパネル３０，５０はデータセンター１の床に用いられていたが、データセンター１以外の空調を必要とする部屋の床に用いてもよい。
【００８９】
また、前記第１，第２の実施の形態に係るフロアパネル３０，５０は、アルミニウム合金を用いて形成されていたが、アルミニウム合金に限定される必要はなく、鋼板材等の他の材質を用いて形成されていてもよい。
【００９０】
また、前記第１，第２の実施の形態に係るフロアパネル３０，５０において、配線取出口３０ｂは、パネル本体部３１のリブ３１ｂの側面に沿うように貫通されていたが、リブ３１ｂの側面に沿うように形成されていなくてもよい。
【００９１】
また、前記第１の実施の形態に係るフロアパネル３０において、蓋部材３７の貫通孔３７ａにネジ部材３６を挿通して、ネジ部材３６が段差面３０ｃに形成されたメネジ孔３０ｄにネジ締結されることにより、蓋部材３７は配線取出口３０ｂを閉口するようにフロアパネル３０に固定されていたが、蓋部材３７は、ネジ締結によりフロアパネル３０に固定されることなく、段差面３０ｃ上に載置されているだけでもよい。
【００９２】
また、前記第２の実施の形態に係るフロアパネル５０において、カバー部材５８の外周方向の端部５８ｇ，５８ｈの領域部分には、マジックテープ５８ｋ，５８ｌが貼り付けられており、マジックテープ５８ｋ，５８ｌ同士を互いに接着させることにより、端部５８ｇと端部５８ｈが互いに着脱可能に連結されるようになっていたが、例えば、両面テープ等の他の部材や方法により着脱可能に連結されていてもよい。
【符号の説明】
【００９３】
１  データセンター
１ａ  コールドアイル
１ｂ  ホットアイル
２  サーバー
３  サーバーラック
４  フリーアクセスフロア
５  パッケージ空調機
６  キャッピング
９  孔開きパネル
１０  フロアパネル
１０ａ  配線取出口
１０ｂ  上面
１２  カバー部材
１２ａ  ブラシ部
１３  配線ケーブル
３０  フロアパネル
３０ｂ  配線取出口
３０ｃ  段差面
３０ｄ  メネジ孔
３１  パネル本体部
３１ａ  平板部
３１ｂ  リブ
３１ｄ  マジックテープ
３２  タイル
３２ａ  上面
３６  ネジ部材
３７  蓋部材
３７ａ  貫通孔
３８  カバー部材
３８ａ  開口部
３８ｂ  紐
３８ｃ  紐留め部
３８ｄ  開口部
３８ｅ  貼付部
３８ｆ  マジックテープ
３８ｉ  紐通し部
３８ｊ  周縁部
３９  配線ケーブル
５０  フロアパネル
５７  蓋部材
５７ａ  貫通孔
５８  カバー部材
５８ａ  開口部
５８ｂ  紐
５８ｃ  紐留め部
５８ｄ  開口部
５８ｅ  貼付部
５８ｆ  マジックテープ
５８ｇ  端部
５８ｈ  端部
５８ｉ  紐通し部
５８ｊ  周縁部
５８ｋ  マジックテープ
５８ｌ  マジックテープ
【図１】
0006549825.tif 000002
【図２】
0006549825.tif 000003
【図３】
0006549825.tif 000004
【図４】
0006549825.tif 000005
【図５】
0006549825.tif 000006
【図６】
0006549825.tif 000007
【図７】
0006549825.tif 000008
【図８】
0006549825.tif 000009
【図９】
0006549825.tif 000010
【図１０】
0006549825.tif 000011
【図１１】
0006549825.tif 000012
【図１２】
0006549825.tif 000013
【図１３】
0006549825.tif 000014
【図１４】
0006549825.tif 000015
【図１５】
0006549825.tif 000016